(57)【要約】【課題】  比較的簡易な構成により、取付時の部品点数を低減させ、更には、組立ハウスの製造コストを低減させることのできる外壁パネルの取付構造を提供する。【解決手段】  複数の鉄骨柱２の中間に壁面を構成するために外壁パネル１Ａが配設され、上記外壁パネル１Ａの端縁のうち、上記鉄骨柱２に当接する側に取付フレーム１３Ａが設けられ、この取付フレーム１３Ａを部分的に開口してなる開口部１３１Ａが構成され、この開口部１３１Ａに上記鉄骨柱２の一部を係入させるとともに、上記取付フレーム１３Ａを貫通する押圧部材３Ａによって上記鉄骨柱２の一部をこの取付フレーム１３Ａの内部との間で挟持してなる。【選択図】  図２
2008297848.tif 000002
【特許請求の範囲】
【請求項１】
複数の鉄骨柱の中間に壁面を構成するための外壁パネルの取付構造であって、上記外壁パネルの端縁のうち、上記鉄骨柱に当接する側に取付部材が設けられ、該取付部材を部分的に開口してなる開口部が構成され、該開口部に上記鉄骨柱の一部を係入させるとともに、上記取付部材を貫通する押圧部材によって上記鉄骨柱の一部を該取付部材の内部との間で挟持してなることを特徴とする外壁パネルの取付構造。
【請求項２】
前記取付部材は、板状部材を折曲して断面略四辺形を形成するとともに、該板状部材の端縁に間隙を設けて開口部を構成してなる取付部材である請求項１記載の外壁パネルの取付構造。
【請求項３】
前記取付部材は、角筒状の一片を開口してなる断面略コ字形に形成された取付部材である請求項１記載の外壁パネルの取付構造。
【請求項４】
前記鉄骨柱は、断面略Ｈ形の鋼材による鉄骨柱である請求項１ないし３のいずれかに記載の外壁パネルの取付構造。
【請求項５】
前記押圧部材は、ボルトの螺入により押圧できる押圧部材である請求項１ないし４のいずれかに記載の外壁パネルの取付構造。
【請求項６】
断面略Ｈ形の鋼材による複数の鉄骨柱の中間に壁面を構成するための外壁パネルの取付構造であって、上記外壁パネルは、外壁表面を構成する外面材と、この外面材の裏面側に設けられる枠体と、この枠体のうち上記鉄骨柱に当接する側の端縁に設けられ、かつ、板状部材を折曲して断面略四辺形を形成してなる取付部材と、この取付部材を構成する板状部材の対向端縁間に生ずる間隙により構成された開口部と、上記取付部材の一片に貫設された貫通孔と、この貫通孔に設けられた雌ねじ部と、この雌ねじ部に螺合する押圧部材とを備え、上記鉄骨柱のフランジ部を上記取付部材の開口部から該取付部材の内方に侵入させつつ、かつ、該鉄骨柱のフランジ部表面が該取付部材の貫通孔に垂直となる状態で、上記外壁パネルを配置し、押圧部材を貫通孔に螺入して該押圧部材の先端を上記鉄骨柱のフランジ部表面を押圧することによって該鉄骨柱のフランジ部を該取付部材の内部との間で挟持してなることを特徴とする外壁パネルの取付構造。
【請求項７】
前記取付部材の貫通孔に設けられる雌ねじ部は、該貫通孔に連続して固着されたナットによって構成される雌ねじ部である請求項６記載の外壁パネルの取付構造。
【請求項８】
前記取付部材の貫通孔は、前記外面材に対向する該取付部材の構成面に貫設された貫通孔である請求項６または７記載の外壁パネルの取付構造。
【発明の詳細な説明】
【技術分野】
【０００１】
本発明は、組立式のシステムハウスいわゆる組立ハウスにおける外壁パネルの取付構造に関し、特に、鉄骨柱の中間に配置される外壁パネルの取付構造に関するものである。
【背景技術】
【０００２】
従来から実施される外壁材または外壁パネルの取付構造は、外壁において隣り合う外壁パネルがそれらの対向する側縁部で、鉛直方向に配された鉄骨柱に取り付けられるものであった。かかる取付構造において、外壁パネルは、パネルの外壁面から鉄骨柱に向かって垂直方向にタッピンねじを貫通させることで、外壁パネルを鉄骨柱に締着させた構成があった（特許文献１および２）。この取付構造によれば、壁面の仕上げ面を構成する外壁材表面からタッピンねじを螺入させるため、これを被覆するために目地カバー（被覆部材）が使用され、また、隣り合う外壁パネル同士に形成される間隙を覆う手段として、ベースプレート（内側保持部材）が使用されていた。
【０００３】
しかし、タッピンねじ等を被覆するために目地カバーやベースプレートを使用することは、部品数が多くなるうえ、作業工程が煩雑となるため、簡略な取付構造が望まれていた。そこで、隣り合う外壁パネルの被覆材の一端を芯材の端部よりも突出させるようにそれぞれ延設させ、この延設させた被覆材の一端に折り曲げ加工が施されて、この折り曲げ加工部分が鉄骨柱に取り付けられている構造が案出された（特許文献３）。かかる構造においては、被覆材の折り曲げ加工部分同士を重ね合わせ、タッピンねじで貫通させることで、鉄骨柱に取り付けられている。
【０００４】
しかしながら、この種の取付構造においても、タッピンねじが使用されることから、解体後における再利用に不向きであった。そこで、さらに、外壁パネルの裏側において、当該外壁パネルと鉄骨柱とを断面Ｌ字形の取付部材を使用する取付構造が案出されている（特許文献４）。かかる構造においては、外壁パネルは、その裏面側四隅近傍に係合金具が配設され、鉄骨柱や床材等に固定された断面Ｌ字形の取付部材によって固定される構成であった。また、同様に、外壁パネルを裏側において取り付ける構造として、外壁パネルの竪枠材の複数箇所に可動取付具を介して各々鋼製柱に上下にスライド可能に取り付けられているものがあった（特許文献５）。かかる構造においては、鋼製柱の両側端面に可動する取付金具により外壁パネルが取り付けられるものであった。
【特許文献１】特開平６−２５７２３５号公報（３頁、図１・図２）
【特許文献２】特開平６−３３６７７５号公報（３頁、図１・図２）
【特許文献３】特開平１０−１１５０３３号公報（５頁、図１・図２）
【特許文献４】特開２００１−５９２９８号公報（３頁、図１・図２）
【特許文献５】特開平９−３１７０６０号公報（３頁、図１（Ａ）・（Ｂ））
【発明の開示】
【発明が解決しようとする課題】
【０００５】
上記の従来技術のうち、断面Ｌ字形の取付金具を使用する技術（特許文献４）にあっては、この取付金具は、外壁パネルと鉄骨柱の両方に取り付けるために、ボルト等で固定する必要があり、そのために外壁パネルと鉄骨柱の両方に取付穴の加工をする必要があった。そのため、外壁パネルの取り付けにおいては、作業工程が増加し、同時に作業工数の増加も発生していた。
【０００６】
また、鉄骨柱に外壁パネルを取り付けるための外壁パネル取付板が配設され、鉄骨柱の両側面には可動式の取付金具が配設されて、この外壁パネルが取り付けられている構成の技術（特許文献５）にあっては、外壁パネルの取付部品の点数が多いため、作業工程および作業工数の増加並びに製造コストおよび製造工程の増加が発生するものであった。
【０００７】
本発明は、上記諸点にかんがみてなされたものであって、その目的とするところは、比較的簡易な構成により、取付時の部品点数を低減させ、更には、組立ハウスの製造コストを低減させることのできる外壁パネルの取付構造を提供することにある。
【課題を解決するための手段】
【０００８】
そこで、本発明は、複数の鉄骨柱の中間に壁面を構成するための外壁パネルの取付構造であって、上記外壁パネルの端縁のうち、上記鉄骨柱に当接する側に取付部材が設けられ、該取付部材を部分的に開口してなる開口部が構成され、該開口部に上記鉄骨柱の一部を係入させるとともに、上記取付部材を貫通する押圧部材によって上記鉄骨柱の一部を該取付部材の内部との間で挟持してなることを特徴とする外壁パネルの取付構造を要旨とする。
【０００９】
上記構成によれば、取付部材を貫通する押圧部材が、鉄骨柱の一部を押圧することにより、当該鉄骨柱の一部が取付部材の内側にも押圧されることとなり、これにより、鉄骨柱の一部が押圧部材の先端と取付部材内面との間で挟持されることになるため、外壁パネルに配設されている取付部材を鉄骨柱に固定的に装着させることができる。
【００１０】
上記発明において、取付部材は、板状部材を折曲して断面略四辺形を形成するとともに、該板状部材の端縁に間隙を設けて開口部を構成してなる取付部材とすることができる。また、上記発明において、取付部材として、角筒状の一片を開口してなる断面略コ字形に形成された構成のものを使用することができる。上記構成により、取付部材の内部に鉄骨柱の一部を係入させる際、当該取付部材の開口部の存在を明確にすることができるとともに、上記鉄骨柱の一部の係入を容易とすることができる。
【００１１】
さらに、上記各発明において、鉄骨柱は、断面略Ｈ形の鋼材による鉄骨柱とすることができる。上記構成により、取付部材に挿入された押圧部材先端を断面略Ｈ形の鋼材のフランジ面に当接させることができ、この押圧部材による押圧により鉄骨柱を狭持して、外壁パネルを固定的に鉄骨柱に取り付けることができる。
【００１２】
また、上記各発明において、押圧部材は、ボルトの螺入により押圧できる押圧部材とすることができる。上記構成により、特殊な部材を使用することなく、取付部材と鉄骨柱を挟持し得る。
【００１３】
また、本発明は、断面略Ｈ形の鋼材による複数の鉄骨柱の中間に壁面を構成するための外壁パネルの取付構造であって、上記外壁パネルは、外壁表面を構成する外面材と、この外面材の裏面側に設けられる枠体と、この枠体のうち上記鉄骨柱に当接する側の端縁に設けられ、かつ、板状部材を折曲して断面略四辺形を形成してなる取付部材と、この取付部材を構成する板状部材の対向端縁間に生ずる間隙により構成された開口部と、上記取付部材の一片に貫設された貫通孔と、この貫通孔に設けられた雌ねじ部と、この雌ねじ部に螺合する押圧部材とを備え、上記鉄骨柱のフランジ部を上記取付部材の開口部から該取付部材の内方に侵入させつつ、かつ、該鉄骨柱のフランジ部表面が該取付部材の貫通孔に垂直となる状態で、上記外壁パネルを配置し、押圧部材を貫通孔に螺入して該押圧部材の先端を上記鉄骨柱のフランジ部表面を押圧することによって該鉄骨柱のフランジ部を該取付部材の内部との間で挟持してなることを特徴とする外壁パネルの取付構造をも要旨としている。
【００１４】
上記構成によれば、押圧部材が貫通孔に沿って螺入することとなるが、鉄骨柱のフランジ部表面は、上記貫通孔に垂直に配置されることから、このフランジ部の表面に対して垂直方向の押圧力を付与することができる。そして、このフランジ部表面に対して垂直に押圧することは、フランジ部表面の全体が取付部材の内側に押圧されることとなり、固定的な取付に十分な挟持状態を得ることができる。
【００１５】
上記発明において、取付部材の貫通孔に設けられる雌ねじ部は、該貫通孔に連続して固着されたナットによって構成される雌ねじ部とすることができる。このような構成であれば、貫通孔の内部表面を加工することなく雌ねじ部を構成することができる。
【００１６】
また、上記発明において、取付部材の貫通孔は、前記外面材に対向する該取付部材の構成面に貫設された貫通孔であることが好ましい。このような構成であれば、外壁パネルの裏側から鉄骨柱に取り付けることができ、仕上げ面である外壁面に取付構造を露出させることがない。また、外壁パネル取付時には、外部足場も不要であり、極めて安全に取付作業を行うことができる。さらに、鉄骨柱のフランジ部の裏面に押圧部材先端が当接するので、解体後においても、当該鉄骨柱の表面に取付跡を残存させないことができる。
【発明の効果】
【００１７】
本発明によれば、外壁パネルと鉄骨柱との締着において、タッピンねじを使用することがないため、外壁パネルの外面にねじの加工跡やねじ頭部が表れることがなく、美観のための目地カバー（被覆部材）は必要になることがない。また、外壁パネルの被覆材に特別な加工を施す必要もないため、外壁パネル同士および鉄骨柱の取付位置を合わせるのに、特別な技術を必要とせず、比較的簡易に外壁パネルの取付作業を行うことができる。
【００１８】
さらに、特殊な取付金具等を使用しないことから、外壁パネルと鉄骨柱の両方に取り付けのための加工をする必要がなく、作業工程や作業工数の低減が図れることとなる。特に、鉄骨柱のフランジ部に貫通孔を穿設する必要がないため、製造コストを低減させることができる。
【００１９】
また、本発明によれば、鉄骨柱の一部を外壁パネルの取付部材の内部との間で押圧部材により狭持して固定する構成としたので、建築物に地震や風等の外力が加わり、建築物の変形（層間変位）が起こった場合であっても、鉄骨柱に対して外壁パネルが上下左右にスライドして移動が可能となるため、上記外力による変形に耐えることによって、当該外壁パネルの破損を防ぐことができるのである。
【発明を実施するための最良の形態】
【００２０】
以下、本発明の実施の形態を図面に基づいて説明する。第一の実施形態は、組立式のシステムハウスいわゆる組立ハウスにおける外壁パネルの取付構造に関するものであり、図１および図２に示すように、外壁パネル１Ａは、鉄骨柱２に対して押圧部材３Ａによって取り付けられる構成となっている。
【００２１】
外壁パネル１Ａは、図１において示しているように、概ね外面材１１Ａ、パネルフレーム１２Ａおよび取付フレーム（取付部材）１３Ａで構成されている。外面材１１Ａは、構築後の組立ハウスにおける壁面の外側表面となるものであり、窯業系サイディング材からなる長方形の板状部材で構成されており、外壁パネル１Ａの表面側に位置するように設けられる。パネルフレーム１２Ａと、左右端縁に配置される取付フレーム１３Ａとにより、外壁パネル１Ａの骨組みが構成され、この骨組みに上記の外面材１１Ａが配設されるものである。パネルフレーム１２Ａは、角形鋼管による横架材にＣ形鋼の縦材が格子状に配置されて構成されており、上下端縁部に配置される横架材（上下枠部材）１４Ａ，１５Ａと、上記取付フレーム１３Ａとによって、骨組みの枠体が構成されている。なお、パネルフレーム１２Ａは適宜間隔で配置されて、外壁パネル１Ａに十分な強度を保持させている。
【００２２】
取付フレーム１３Ａは、外壁パネル１Ａの幅方向端縁（左右端縁）において枠体の一部を構成するとともに、鉄骨柱２との取付部材としても機能するものであるため、上述のパネルフレーム１２Ａとは形状が異なるものとなっている。具体的には、当該取付フレーム１３Ａは、断面略四辺形に形成され、この取付フレーム１３Ａの一部には開口部１３１Ａが設けられているのである。さらに詳細を説明すれば、長尺な角形鋼管の一片において、長手方向に沿った連続するスリットを設けた形状であり、当該スリットを開口部１３１Ａとして構成している。このとき、本実施形態では、一つの角部から隣接する一片のほぼ中央までの範囲にスリットを設けた形状としている。この種のフレーム１３Ａは、上記のように、角形鋼管にスリットを設ける手法によって構成することができるが、金属製の板状部材を平行な三つの直線で折曲して構成することも可能である。すなわち、上記板状部材は長尺な長方形とし、その板状部材の長辺に平行な三つの折り曲げ線を仮想するとき、一方の長辺から各折り曲げ線を等間隔とし、最後の折り曲げ線から他方の長辺までの間隔を小さくすることにより、板状部材の両端縁の間には所定の間隙を有することとなるから、同様のフレーム１３Ａを構成することができる。
【００２３】
上記のようにして構成された取付フレーム１３Ａは、上記開口部１３１Ａの開口方向が外面材１１Ａの端縁側となるように配置されている。そして、外壁パネル１Ａの裏面側に位置する一片に貫通孔１３２Ａが穿設されている。かかる貫通孔１３２Ａの軸線方向と同一軸線上において、当該取付フレーム１３Ａの内部表面側にはナット３２が溶接により固着され、後述の押圧部材としてのボルト３１（図３）に螺合できるようになっている。
【００２４】
鉄骨柱２は、図２に示すように、断面略Ｈ形の鋼材の一種であるリップＨ形鋼が使用されている。このリップＨ形鋼のフランジ部２１，２２は、構築すべき組立ハウスの壁面に平行となるように配置されており、このフランジ部２１，２２のうち、外側に位置する一方のフランジ部２１を利用して外壁パネル１Ａが取り付けられるのである。なお、外壁パネル１Ａの取付には、取付フレーム１３Ａを貫通する押圧部材３Ａが使用され、この押圧部材３Ａが上記フランジ部２１を押圧させることにより、当該フランジ部２１の外側表面に一部が取付フレーム１３Ａの一部に当接かつ押圧され、押圧部材３Ａの先端と取付フレーム１３Ａの一部との間において、フランジ部２１が挟持されるようになっている。
【００２５】
次に、外壁パネル１Ａの取付構造について説明する。図２および図３に示すように、外壁パネル１Ａは、全体として長方形の板状材を形成していることから、その長手方向が鉛直方向に一致するように、かつ、所定間隔を有しつつ複数立設される鉄骨柱２の中間にそれぞれ配置される。このとき、リップＨ形鋼による鉄骨柱２は、その外側のフランジ部２１の平面が、外面材１１Ａの平面に平行となっており、隣接して配置される外壁パネル１Ａの対向する取付フレーム１３Ａを同時に支持させるものであって、両フランジ部２１，２２の中間を連結する連結部２３を境界として、当該外側のフランジ部２１の両側片に隣接する外壁パネル１Ａが取り付けられる。なお、取付フレーム１３Ａは外面材１１Ａの裏面側に配置されていることから、鉄骨柱２のフランジ部２１との取り付けは、当該外面材１１の裏側において実施されることとなる。そして、図示のようにリップＨ形鋼による鉄骨柱２を使用する際、リップ部分が両フランジ部２１，２２に対向するように配置されるが、取付フレーム１３Ａは、上記リップ部分を包囲するように配置されるのである。
【００２６】
隣接する外壁パネル１Ａの取付フレーム１３Ａの開口部１３１Ａは、開口方向が外面材１１Ａの端縁側を向いているため、当該隣接する外壁パネル１Ａを並列させたとき、近接する二つの開口部１３１Ａの二つの開口方向は対向する格好となり、この開口部１３１Ａの空間に鉄骨柱２のフランジ部２１をそれぞれ係入できることになるのである。すなわち、フランジ部２１は、連結部２３を境界として両側に平板部を突出する状態であるから、上記開口部１３１Ａを介してフランジ部２１の突出部分を取付フレーム１３Ａに侵入させることができるのである。そして、フランジ部２１の突出部分は、所定の突出長を有することから、当該突出部分の全体が取付フレーム１３Ａに侵入される必要はなく、当該突出部分の適宜範囲が侵入されることにより、外壁パネル１Ａの取付に必要かつ十分である。従って、各部材の寸法誤差や、構築上におけるいわゆる遊びが発生する場合であっても、この遊びを上記フランジ部２１の侵入状態によって吸収できるようになっている。
【００２７】
図３において詳細を示しているように、取付フレーム１３Ａの一片１３３Ａの内部表面側にはナット３２が溶接されており、この一片１３３Ａはフランジ部２１の表面に平行となるように配設されるので、当該一片１３３Ａの外側（パネル裏面側）から押圧部材であるボルト３１を貫挿し、このボルト３１を上記ナット３２に螺合することにより、鉄骨柱２のフランジ部２１の平面に対してボルト３１が鉛直方向に位置することになるのである。このとき、ボルト３１を締め付けていくことにより、外面材１１Ａに対して垂直となる一片（垂直片）１３４Ａの端縁部分にフランジ部２１が押圧されることとなり、ボルト３１の先端面と垂直片１３４Ａとの間で鉄骨柱２のフランジ部２１が狭持されることになり、鉄骨柱２に対する外壁パネル１Ａの取付を完了することができるのである。なお、図３においては、外壁パネル１Ａの片側のみ（隣接するパネルの対向端縁のみ）を示しているため、上記ボルト３１の締め付けにより、取付フレーム１３Ａに対して偶力（図中時計回りの回転力）が作用するようにも見えるが、当該外壁パネル１Ａは、他方の端縁においても取付フレーム１３Ａにより、他の鉄骨柱に取り付けられているため、そのような偶力により取付状態が緩和されるようなことはない。
【００２８】
なお、図２および図３において示しているように、隣接して取り付けられた二枚の外壁パネル１Ａ，１Ａの外面材１１Ａ，１１Ａには、わずかな間隙Ｃが形成されており、この間隙Ｃには、シール部材Ｄを挿入したうえでシリコンコーキング等の充填剤Ｅが施されている。このシール部材Ｄと充填剤Ｅによって外部の雨水等の侵入を予防しているのである。ここで、間隙Ｃに対する目地形成には、シリコンコーキングを使用する場合を代表例として示しているが、上記シール部材Ｄおよび充填剤Ｅに代えて、プラスチック製の目地材を使用することも可能である。
【００２９】
このように、本実施形態の取付構造によれば、システムハウスの組立時において、鉄骨柱２に外壁パネル１Ａをボルト３１等の押圧部材３Ａを使用ことのみにより挟持させることができるのである。そして、これらの取付構造は、外壁パネル１Ａの裏面側に構成されることから、外壁の表面に取付部材が露呈することがなく、しかも、隣接する外壁パネル１Ａの端縁間に生ずる間隙は、充填剤Ｅにより充填されるため、外壁表面を連続した表面に構成することできる。なお、押圧部材であるボルト３１は、取付フレーム１３Ａの長手方向に複数穿設された貫通孔１３２Ａに装着されるため（図１参照）、これら全ての位置における挟持力によって外壁パネル１Ａが固定されることとなる。このときの貫通孔１３２Ａの数および装着するボルト３１の数については、外壁パネル１Ａの大きさおよび重量等によって適宜変更させるものである。
【００３０】
また、本実施形態においては、鉄骨柱２にリップＨ形鋼が使用されているため、上記ボルト３１による押圧部材３Ａを構成する場合、当該ボルト３１の先端は、リップ部分よりも鉄骨柱２の境界部２３に位置することとなる。従って、外壁パネル１Ａに横向き（図３において左右方向）に外力が作用したとしても、リップ部分と境界部２３の中間において、押圧部材３Ａがスライドすることとなり、当該横向きの外力を吸収するとともに、当該押圧部材３Ａが鉄骨柱２のフランジ部２１から抜け落ちることがない。
【００３１】
次に、本発明の他の実施形態について説明する。本実施形態は、図４および図５に示すように、第一の実施形態とほぼ同様の構成であるが、取付フレーム１３Ｂの構成において異なっている。すなわち、外壁パネル１Ｂの裏側にはパネルフレーム１２Ｂが格子状に構成され、このパネルフレーム１２Ｂの左右両端に設けられる取付フレーム１３Ｂは、フレーム基部１４に取付金具１５が装着されて構成されているのである（図４参照）。このフレーム基部１４に取付金具１５を装着したものを取付フレーム（取付部材）１３Ｂと称する。この取付金具１５は、断面略コ字形に構成されており、対向する平行な二片のうちの一方に押圧部材３Ｂを貫挿できる構成となっているのである。なお、上記格子状のパネルフレーム１２Ｂには、表側に外面材１１Ｂが配設されており、この外面材１１Ｂは、第一実施形態と同様に窯業系サイディング材が使用されている（図５参照）。また、パネルフレーム１２Ｂおよびフレーム基部１４は、木製材料により構築することが可能である。そして、フレーム基部１４のみをウレタンフォームまたはスチレンフォームによる発泡性材料で構築することも可能である。さらに、フレーム基部１４をケイ酸カルシウム板または石こうボードによる耐火性材料で構築する場合にあっては、このフレーム基部１４を鉄骨柱２の鉄骨耐火被覆材として利用することも可能である。
【００３２】
取付金具１５は、上述のように、断面略コ字形に折曲された金属製板状部材であり、平行な二片と両片を連続する連続部によって構成され、この連続部の対向側が大きく開口している形状となっている。この開口部分をもって取付フレーム（取付部材）１３Ｂの開口部１３１Ｂとして、前記第一の実施形態の開口部１３１Ａと同様の機能を発揮するものである。従って、フレーム１３Ｂは、当該開口部１３１Ｂの開口方向が外面材１１Ｂの端縁側になるように、外面材１１Ｂに取り付けられており、平行な二片のうち、外壁パネル１Ｂの裏面側の片１３３Ｂの適宜位置に押圧部材であるボルト３１を螺入させることによって、鉄骨柱２を挟持することができる。なお、ボルト３１を螺合させるための構成として、本実施形態では、バーリング加工によるねじ孔１３２Ｂを設けた構成としている。また、図４と図５に示す実施形態は、取付フレーム（取付部材）１３Ｂが部分的であるか（図４）、連続しているか（図５）において相違するものである。
【００３３】
このような構成であるから、鉄骨柱２として、断面略Ｈ形の鋼材（例えばリップＨ形鋼やＨ形鋼）を使用する場合、押圧部材としてのボルト３１を当該Ｈ形のの一部を構成するフランジ部２１に押圧させることにより、当該フランジ部２１を取付金具１５の他片１３４Ｂの表面に強く押圧することができ、両者３１，１３４Ｂによってフランジ部２１を挟持させることができるのである。
【００３４】
次に、この実施形態での外壁パネル１Ｂの取付構造について説明する。図６および図７に示すように、外壁パネル１Ｂは、第一実施形態と同様に、長方形の板状材を長手方向が天地となるように配置される。このとき、断面略Ｈ形の鋼材による鉄骨柱２のフランジ部２１が、外壁パネル１Ｂの取付フレーム１３Ｂを構成する取付金具１５の開口部１３１Ｂから、当該取付金具１５の内部に係入できるように、当該外壁パネル１Ｂの位置を調整する。そして、取付金具１５の裏側から押圧部材であるボルト３１をねじ孔１３２Ｂに挿入するとともに、その雌ねじに螺入することにより、当該ボルト３１の先端をフランジ部２１に当接させ、このボルト３１を締め付けることにより、フランジ部２１と取付金具１５の内部表面を圧密させることとなり、この内部表面とボルト３１とによりフランジ部２１を挟持させるのである。
【００３５】
このような構成であるから、システムハウスの組立時において、鉄骨柱２に外壁パネル１Ｂをボルト３１等の締着部材３１により締着させることができるのである。そして、第一の実施形態と同様に、隣接する外壁パネル１Ｂを並列させて固定した場合、両者間に間隙が発生するが、この間隙については、例えば、シリコンコーキングのような充填剤を使用して間隙を埋めることとなる。
【００３６】
本実施形態は上記のとおりであるが、本発明の趣旨を逸脱しない範囲において種々の態様をとることができる。例えば、上記実施形態を説明するために、パネルフレーム１２Ａ，１２Ｂや横架材１４Ａ，１５Ａについて、具体的に図示（図１，図４,図５）したが、これらの構成が図示のものに限定されるものではない。従って、図１に示す外壁パネル１Ａの構成における取付フレーム１３Ａは、断面略四辺形に形成して一部に開口部１３１Ａを構成したものであったが、これを例えば断面略コ字形とした取付フレーム１３Ｂに変更することができる（図８参照）。また、同様に、図５に示した外壁パネル１Ｂにおける断面略コ字形の取付フレーム１３Ｂに代えて、断面略四辺形に形成して一部に開口部１３１Ａを構成した取付フレーム１３Ａに変更することも可能である（図９参照）。そして、これらのいずれの構成であっても、本発明の効果を得ることができる。取付フレームの材質についても、本実施形態で使用している鋼材のみならず、例えばアルミ材のような非鉄金属であってもよい。
【００３７】
また、上記実施形態では、外面材１１Ａ，１１Ｂの材質が窯業系サイディング材を使用する場合についてのみ説明したが、材質を限定する必要はなく、軽量コンクリートパネル（ＡＬＣパネル）のような材質であってもよい。また、図１０のように、外壁パネル１Ｃは、外面材の表面を薄厚の鉄板とし、芯材をスチレンフォームとする構成の外面材であってもよい。この場合、左右両側には、断面略コ字形の取付フレーム１３Ｃが構成されていればよいのである。この場合、図１０に示す外壁パネル１Ｃは、長方形の長手方向を横向きにしており、下端縁には凹状溝が、上端縁には凸状の突起部が設けられ、両側の取付フレーム１３Ｃを鉄骨柱２のフランジ部２１に挿通させながら上下方向に並べることで一枚の外壁を形成するのである。そして、上記取付フレーム１３Ｃが配置されている個所には、バーリング加工によるねじ孔１３２Ｃが設けられ、押圧部材としてのボルトが螺入できるようにするのである。なお、上記鉄板のほかには、化粧鋼板やアルミ板等も使用可能である。
【００３８】
さらに、鉄骨柱２においては、断面略Ｈ形の鋼材の代表例としてリップＨ形鋼を使用する場合についてのみ説明したが、これをいわゆるＨ形鋼のような鋼材や、Ｉ形鋼またはＴ形鋼、さらには軽量形鋼等のように、所定面積を有するフランジ部２１を有するものであれば、その形状を問うものではない。例えば、鉄骨柱２が溝形鋼の場合の実施形態によれば、外面材の平面と溝形鋼のフランジ面が平行になるように配設されることとなる。このとき、隣接する外壁パネルを並列に配置したときの対向する取付フレームの開口部には、溝形鋼の一部をそれぞれ挿入させることができる。そして、断面略Ｈ形の鋼材の鉄骨柱を挟持した場合と同様に、ボルト等により溝形鋼の一部を挟持することが可能である。
【００３９】
また、押圧部材３としては、専らボルト３１を使用する構成を説明したが、これに限らず、取付フレーム１３Ａ，１３Ｂの内側において鉄骨柱２を押圧する構造であれば他の部材を使用することができる。その例として楔状の係合部材がある。
【図面の簡単な説明】
【００４０】
【図１】本発明の第一の実施形態に用いる外壁パネルを示す斜視図である。
【図２】本発明の第一の実施形態である取付部材の取付構造を示す斜視図である。
【図３】本発明の第一の実施形態である取付部材の取付構造を示す詳細図である。
【図４】本発明の他の実施形態に用いる外壁パネルを示す斜視図である。
【図５】本発明の他の実施形態に用いる外壁パネルの変形例を示す斜視図である。
【図６】本発明の他の実施形態である取付部材の取付構造を示す斜視図である。
【図７】本発明の他の実施形態である取付部材の取付構造を示す詳細図である。
【図８】本発明の第一の実施形態の変形例を示す斜視図である。
【図９】本発明の他の実施形態の変形例を示す斜視図である。
【図１０】本発明の他の実施形態で変形例を示す斜視図である。
【符号の説明】
【００４１】
１Ａ，１Ｂ,１Ｃ  外壁パネル
２  鉄骨柱
３Ａ，３Ｂ  押圧部材
１１Ａ，１１Ｂ  外面材
１２Ａ，１２Ｂ  パネルフレーム
１３Ａ，１３Ｂ，１３Ｃ  取付フレーム
１４  フレーム基部
１４Ａ  横架材（上枠部材）
１５Ａ  横架材（下部枠体）
２１，２２  フランジ部
２３  連結部
３１  ボルト
３２  ナット
１３１Ａ，１３１Ｂ  開口部
１３２Ａ  貫通孔
１３２Ｂ,１３２Ｃ  ねじ孔
１３３Ａ  取付フレームの一片
１３３Ｂ  取付金具の一片
１３４Ａ  取付フレームの垂直片
１３４Ｂ  取付金具の他片
【図１】
2008297848.tif 000003
【図２】
2008297848.tif 000004
【図３】
2008297848.tif 000005
【図４】
2008297848.tif 000006
【図５】
2008297848.tif 000007
【図６】
2008297848.tif 000008
【図７】
2008297848.tif 000009
【図８】
2008297848.tif 000010
【図９】
2008297848.tif 000011
【図１０】
2008297848.tif 000012